(57)【要約】【課題】車椅子に座ったままで簡単に着脱でき、構造が簡単で一枚のシートから容易に作成することが可能で、腕を自由に動かせる車椅子用コートを提供すること。【解決手段】上半身前身頃２の両側に前袖部３，４をそれぞれ連設し、上半身後身頃５の両側に後袖部をそれぞれ連設し、上半身前身頃２と上半身後身頃５とを一体に連続すると共に、前袖部３，４と後袖部とを一体に連続し、前袖部３，４の下端と後袖部の下端とを係脱可能とし、上半身前身頃２の下方に下半身前身頃８を連設し、下半身前身頃８の両側に下半身後身頃９，１０をそれぞれ連設し、両側の下半身後身頃９，１０の側端上下部どうしを係脱可能とする。【選択図】　　　図１
2004027391.tif 000002
【特許請求の範囲】
【請求項１】
上半身前身頃の両側に前袖部をそれぞれ連設し、上半身後身頃の両側に後袖部をそれぞれ連設し、前記上半身前身頃と上半身後身頃とを一体に連続すると共に、前記前袖部と後袖部とを一体に連続し、前記前袖部の下端と後袖部の下端とを係脱可能とし、前記上半身前身頃の下方に下半身前身頃を連設し、該下半身前身頃の両側に下半身後身頃をそれぞれ連設し、両側の下半身後身頃の側端上下部どうしを係脱可能としたことを特徴とする車椅子用被服。
【請求項２】
別体のマフラーを備え、該マフラーの長手方向に沿う一側縁部の中央部寄りに、互い着脱自在に係合する雌雄の係止具を、前記中央部を挟んで両側にそれぞれ取り付けた請求項１に記載の車椅子用被服。
【発明の詳細な説明】
【０００１】
【発明の属する技術分野】
本発明は、車椅子用被服に関する。
【０００２】
【従来の技術】
身体障害者や老人が車椅子に乗って外出する際には、パジャマ等をいちいち外出着に着替えるのが面倒であるばかりか、身体が自由にならないので、自分自身の力で衣服を着脱するのは困難であった。
また、普段着の上にコートを着用して隠そうとしても、一般的なコートは背面側から当てて袖に腕を通し、正面でボタンを留めるようになっているので、車椅子から立ち上がらなければならず、介護者に加わる負担が大きかった。
さらに、前身頃と後身頃とが肩で連続し、脇下が開放されたポンチョ型車椅子用レインコートが登録実用新案第３００３６４７号公報に記載されている。
【０００３】
【発明が解決しようとする課題】
この発明は、車椅子に座ったままで簡単に着脱でき、構造が簡単で一枚のシートから容易に作成することが可能で、腕を動かし易い車椅子用被服を提供することを課題とする。
【０００４】
【課題を解決するための手段】
本発明の車椅子用被服は、上半身前身頃の両側に前袖部をそれぞれ連設し、上半身後身頃の両側に後袖部をそれぞれ連設し、前記上半身前身頃と上半身後身頃とを一体に連続すると共に、前記前袖部と後袖部とを一体に連続し、前記前袖部の下端と後袖部の下端とを係脱可能とし、前記上半身前身頃の下方に下半身前身頃を連設し、該下半身前身頃の両側に下半身後身頃をそれぞれ連設し、両側の下半身後身頃の側端上下部どうしを係脱可能とする。
【０００５】
車椅子に座った人の頭上から上半身前身頃及び上半身後身頃を被せると共に、下半身前身頃を脚部に被せ、前袖の下端と後袖部の下端とを係止して、車椅子用被服を上半身に着用し、両側の下半身後身頃を下半身の後方に廻し、その側端部上下部をそれぞれ腰部及び脚部後方で係止して、車椅子用被服を下半身に着用する。
別体のマフラーを備え、該マフラーの長手方向に沿う一側縁部の中央部寄りに、互い着脱自在に係合する雌雄の係止具を、前記中央部を挟んで両側にそれぞれ取り付けても良い。
長く延ばした状態で、通常のマフラーとして使用でき、長手方向に半折りにして雌雄の係止具を係合し、頭巾状にかぶることもできる。
【０００６】
【発明の実施の形態】
以下、本発明の実施形態を図面に基づいて詳細に説明する。
本発明の車椅子用被服の一例である車椅子用コートは、図１乃至図３に示すコート本体１と、図４及び図５に示す別体のマフラー１１とから成る。
コート本体１は、上半身前身頃２の両側に左右の前袖部３，４をそれぞれ連設し、上半身後身頃５の両側に左右の後袖部６，７をそれぞれ連設し、上半身前身頃２と上半身後身頃５とを一体に連続すると共に、左右の前袖部３，４と左右の後袖部６，７とをそれぞれ一体に連続し、上半身前身頃２の下方に下半身前身頃８を連設し、下半身前身頃８の両側に左右の下半身後身頃９，１０をそれぞれ連設して成る。
【０００７】
上半身前身頃２の上部中央には、襟刳り１２の前中心から胸元に向かって延びる縦割り部１３が形成され、襟刳り１２に頭を通しやすくなっている。また、縦割り部１３の上端部両側には、着脱自在に係合される雌雄の面ファスナー１４，１４’が装着されている。
さらに、縦割り部１３の下方において、上半身前身頃２の外面に第１のポケット１５が取り付けられる。
【０００８】
前袖部３，４及び後袖部６，７は、袖口部に向かって次第に細くなるよう裁断され、袖付け部分の幅は上半身前身頃２及び上半身後身頃５の長さとほぼ同じく形成されている。
また、前袖部３，４の裏面の下端両側及び後袖部６，７の裏面の下端両側には、着脱自在に係合する雌雄の面ファスナー等の係止具１６，１６’がそれぞれ装着され、前袖部３，４の係止具１６と後袖部６，７の係止具１６’とを係合すると、筒状の袖が形成されるようになっている。
【０００９】
下半身前身頃８及び下半身後身頃９，１０は、着用者の足首近傍に達する長さとされ、下半身前身頃８の外面には第２のポケット１７が取り付けられている。また、左側の下半身後身頃９の側端上下部及び右側の下半身後身頃１０の側端上下部には、互いに着脱自在に係止する雌雄の面ファスナー等の係止具１８，１８’が装着され、下半身後身頃９の係止具１８と下半身後身頃１０の係止具１８’とを係合すると、下半身前身頃８及び下半身後身頃９，１０が円筒状になる。
【００１０】
マフラー１１は、コート本体１と共布で、図４に示すように、通常のマフラーと同様の細長い矩形に形成され、長手方向に沿う一側縁の裏面中央寄りに、互いに着脱自在に係合する雌雄の面ファスナー等の係止具１９，１９’が、中央を挟んで両側にそれぞれ取り付けられている。
従って、マフラー１１を延ばした状態では、通常のものと同様に首に巻くことができ、図６に示すように、裏面を内側にして半分に折り曲げ、係止具１９，１９’を係合すると、一側縁上部が閉じた頭巾状に変形するので、冬季や悪天候の時は頭にかぶることもできる。
また、マフラー１１の表面一端寄りには、第３のポケット２０が取り付けられている。
【００１１】
このコート本体１を着用するには、面ファスナー１４，１４’、係止具１６，１６’、係止具１８，１８’を全て外しておき、上半身前身頃２を前方に向け、上半身後身頃５を後方に向けて着用者の上方から被せ、着用者の頭部を襟刳り１２に通してから、縦割り部１３の両側に設けられた面ファスナー１４，１４’を係合する。
次いで、係止具１６，１６’を係合して前袖部３，４の下端と後袖部６，７の下端とを閉じ、左右の下半身後身頃９，１０を着用者の背面に廻して、その先端に装着された係止具１８，１８’を腰部及び脚部の背後で係合する。
このように、コート本体１は、着用者の前上方から被せるようにして着用できるので、着用者が車椅子に座ったままでも簡単に着脱できる。
【００１２】
また、必要であれば、マフラー１１を首に巻いたり、頭巾状にして頭にかぶっても良い。
さらに、コート本体１には第１のポケット１５及び第２のポケット１７が、マフラー１１には第３のポケット２０がそれぞれ取り付けられているので、貴重品等を収納して携行でき、両手を空けることができる。
なお、コート本体１及びマフラー１１の素材は、着用する季節や天候に応じたものを用いることができる。例えば、冬季用の車椅子用コートでは、厚手のウール素材を用い、雨天用の車椅子用コートの場合は、防水性合成樹脂シートや防水コーティングを施した布帛を用いると良い。
また、コート本体１及びマフラー１１に取り付けられるポケットの位置及び数は適宜変更することも可能である。
【００１３】
【発明の効果】
請求項１に係る発明によれば、上半身前身頃及び上半身後身頃を着用者の上方から被せ、下半身後身頃を背後に廻して、前袖部及び後袖部の下端どうし、並びに両側の下半身後身頃の先端どうしを係合することによって装着されるので、着用者が車椅子に座ったままでも、両袖を有する被服を簡単に着脱することができると共に、下半身全周を覆うことが可能で、このため、悪天候や外気温が低い時でも気軽に外出することが可能となり、介護者への負担も軽減される。
また、両袖を有するために腕を自由に動かすことができ、しかも構造が非常に簡単であって、一枚のシートから継ぎ目無しに仕立てることができる。
請求項２に係る発明によれば、マフラーを通常どおり首に巻くことも、マフラーを二つ折りにして係止具を係合し、頭巾状にして頭にかぶることもできるので、温度の低いときの防寒や雨よけに便利である。
【図面の簡単な説明】
【図１】コート本体の正面図
【図２】コート本体の背面図
【図３】コート本体の展開図
【図４】マフラーの裏面図
【図５】頭巾状にしたマフラーの斜視図
【符号の説明】
１　コート本体
２　上半身前身頃
３　左側の前袖部
４　右側の前袖部
５　上半身後身頃
６　左側の後袖部
７　右側の後袖部
８　下半身前身頃
９　左側の下半身後身頃
１０　右側の下半身後身頃
１１　マフラー
１２　襟刳り
１３　縦割り部
１４，１４’　面ファスナー
１５　第１のポケット
１６，１６’　係止具
１７　第２のポケット
１８，１８’　係止具
１９，１９’　係止具
２０　第３のポケット
【図１】
2004027391.tif 000003
【図２】
2004027391.tif 000004
【図３】
2004027391.tif 000005
【図４】
2004027391.tif 000006
【図５】
2004027391.tif 000007